(57)【要約】  パワーインゼクタ（１０）によって利用され得る流量評価プロトコル（１４０）を開示する。この流量評価プロトコル（１４０）は、医療流体送達プロトコル（１５４）の実行中に流量（１５６）を監視する。この監視された流量は、標的流量（１５８）と比較される。この監視された流量および標的流量の比較出力が、例えば、グラフィカルユーザインターフェース（１１）上に表示される（１６０）。本発明の第１の側面は、医療流体送達システムのための動作の方法によって具現化される。流体は、医療流体送達システムから（例えば、流体標的物に）放出され、第１の出力が表示される。この第１の出力は、標的流量と、医療流体送達システムから放出した流体に関する現在流量との間の関係の形式である。
2011502734.tif 000002
【特許請求の範囲】
【請求項１】
医療流体送達システムのための動作の方法であって、
該医療流体送達システムから医療流体を放出するステップと、
第１の出力を表示するステップであって、該第１の出力は該放出するステップの現在流量と標的流量との間の関係を含む、ステップと
を含む、方法。
【請求項２】
前記放出するステップは、パワーインゼクタから前記医療流体を放出するステップを含む、請求項１に記載の方法。
【請求項３】
前記放出するステップは、前記医療流体を流体標的物に注入するステップを含む、請求項１〜２のいずれか一項に記載の方法
【請求項４】
前記流体標的物には、患者が含まれる、請求項１〜３のいずれか一項に記載の方法。
【請求項５】
前記放出するステップは、前記標的流量を提供するために実行される、請求項１〜４のいずれか一項に記載の方法。
【請求項６】
前記表示するステップは、少なくとも１つのグラフィカルユーザインターフェース上に前記第１の出力を表示するステップを含む、請求項１〜５のいずれか一項に記載の方法。
【請求項７】
前記表示するステップは、前記現在流量が、所定量を上回って前記標的流量と異なる場合にのみ実行される、請求項１〜６のいずれか一項に記載の方法。
【請求項８】
前記表示するステップは、前記放出するステップの間中、継続的に実行される、請求項１〜６のいずれか一項に記載の方法。
【請求項９】
前記表示するステップは、前記現在流量の大きさおよび前記標的流量の大きさを同時に表示するステップを含む、請求項１〜８のいずれか一項に記載の方法。
【請求項１０】
前記第１の出力は、前記現在流量の前記大きさおよび前記標的流量の前記大きさを含む、請求項９に記載の方法。
【請求項１１】
前記同時に表示するステップは、前記現在流量の前記大きさおよび前記標的流量の前記大きさの各々について、数値を表示するステップを含む、請求項９〜１０のいずれか一項に記載の方法。
【請求項１２】
前記同時に表示するステップは、前記現在流量の前記大きさおよび前記標的流量の前記大きさの各々について、グラフ表示を提示するステップを含む、請求項９〜１０のいずれか一項に記載の方法。
【請求項１３】
前記表示するステップは、前記標的流量の割合として前記現在流量を表現するステップを含む、請求項１〜８のいずれか一項に記載の方法。
【請求項１４】
前記表示するステップは、前記現在流量と前記標的流量との間の差分を表示するステップを含む、請求項１〜８のいずれか一項に記載の方法。
【請求項１５】
前記表示するステップは、前記現在流量と前記標的流量との間の対比を提示するステップを含む、請求項１〜１４のいずれか一項に記載の方法。
【請求項１６】
前記表示するステップは、前記現在流量が前記標的流量とどのように異なるかに関する情報を伝達するステップを含む、請求項１〜１５のいずれか一項に記載の方法。
【請求項１７】
前記放出するステップが、前記標的流量に適合しないことを伝達するメッセージを発行するステップをさらに含む、請求項１〜１６のいずれか一項に記載の方法。
【請求項１８】
前記現在流量が、所定の様式で前記標的流量と異なる場合に、前記放出するステップを変更するステップをさらに含む、請求項１〜１７のいずれか一項に記載の方法。
【請求項１９】
前記所定の様式を入力するステップをさらに含む、請求項１８に記載の方法。
【請求項２０】
前記放出するステップは、パワーインゼクタを使用し、前記方法は、前記所定の様式の操作者入力を可能にするステップをさらに含む、請求項１８に記載の方法。
【請求項２１】
少なくとも１つのグラフィカルユーザインターフェース上において前記所定の様式の入力を促すステップを含む第１の促すステップを実行するステップをさらに含む、請求項１８〜２０のいずれか一項に記載の方法。
【請求項２２】
少なくとも１つのグラフィカルユーザインターフェース上において前記標的流量の入力を促すステップを含む第２の促すステップを実行するステップをさらに含む、請求項２１に記載の方法。
【請求項２３】
前記現在流量が前記標的流量の所定の割合より小さい場合に、前記放出するステップを終了するステップをさらに含む、請求項１〜２２のいずれか一項に記載の方法。
【請求項２４】
前記現在流量が、所定の値だけ前記標的流量より小さい場合に、前記放出するステップを終了するステップをさらに含む、請求項１〜２２のいずれか一項に記載の方法。
【請求項２５】
パワーヘッドと、
シリンジプランジャ駆動体と、
グラフィカルユーザインターフェースと、
ａ）医療流体送達プロトコルを実行することと、ｂ）該グラフィカルユーザインターフェース上に第１の出力を提示することとを実行するように構成される制御論理であって、該第１の出力は、該医療流体送達プロトコルに関連する標的流量と、該医療流体送達プロトコルの実行中に存在する現在流量との間の関係を含む、制御論理と
を備える、パワーインゼクタ。
【請求項２６】
前記第１の出力は、前記現在流量が、所定量を上回って前記標的流量と異なる場合にのみ、前記グラフィカルユーザインターフェース上に提示される、請求項２５に記載のパワーインゼクタ。
【請求項２７】
前記第１の出力は、前記医療流体送達プロトコルの実行の間中、前記グラフィカルユーザインターフェース上に提示される、請求項２５に記載のパワーインゼクタ。
【請求項２８】
前記第１の出力は、前記現在流量の大きさおよび前記標的流量の大きさを含む、請求項２５〜２７のいずれか一項に記載のパワーインゼクタ。
【請求項２９】
前記第１の出力は、前記現在流量の前記大きさおよび前記標的流量の前記大きさの各々について、数値をさらに含む、請求項２８に記載のパワーインゼクタ。
【請求項３０】
前記第１の出力は、前記現在流量の前記大きさおよび前記標的流量の前記大きさの各々について、グラフ表示をさらに含む、請求項２８に記載のパワーインゼクタ。
【請求項３１】
前記第１の出力は、前記標的流量の割合として前記現在流量の表現を含む、請求項２５〜３０のいずれか一項に記載のパワーインゼクタ。
【請求項３２】
前記第１の出力は、前記現在流量と前記標的流量との間の差分を含む、請求項２５〜３０のいずれか一項に記載のパワーインゼクタ。
【請求項３３】
前記第１の出力は、前記現在流量と前記標的流量との間の対比を含む、請求項２５〜３２のいずれか一項に記載のパワーインゼクタ。
【請求項３４】
前記第１の出力は、前記現在流量が前記標的流量とどのように異なるかに関する情報を含む、請求項２５〜３３のいずれか一項に記載のパワーインゼクタ。
【請求項３５】
前記現在流量が前記標的流量に適合しないことを伝達するメッセージをさらに含む、請求項２５〜３４のいずれか一項に記載のパワーインゼクタ。
【請求項３６】
前記制御論理と動作可能に相互連結されるデータ入力機器をさらに備える、請求項２５〜３５のいずれか一項に記載のパワーインゼクタ。
【請求項３７】
前記制御論理は、前記データ入力機器によって入力され得る終了条件を格納するように構成され、該制御論理は、該終了条件の任意の発生時に、前記医療流体送達プロトコルを終了する、請求項３６に記載のパワーインゼクタ。
【請求項３８】
前記第１のグラフィカルユーザインターフェース上において、前記終了条件を入力するためのプロンプトをさらに含む、請求項３７に記載のパワーインゼクタ。
【請求項３９】
前記第１のグラフィカルユーザインターフェース上において、前記標的流量を入力するためのプロンプトをさらに含む、請求項３６〜３８のいずれか一項に記載のパワーインゼクタ。
【請求項４０】
前記制御論理は、前記現在流量が前記標的流量の所定の割合より小さい場合に、前記医療流体送達プロトコルを終了するように構成される、請求項２５〜３９のいずれか一項に記載のパワーインゼクタ。
【請求項４１】
前記制御論理は、前記現在流量が流量値だけ前記標的流量より小さい場合に、前記医療流体送達プロトコルを終了するように構成される、請求項２５〜３９のいずれか一項に記載のパワーインゼクタ。
【発明の詳細な説明】
【技術分野】
【０００１】
（関連出願の相互参照）
本願は、係属中の米国仮特許出願第６０／９８９，１４５号（名称「ＰＯＷＥＲ  ＩＮＪＥＣＴＯＲ  ＷＩＴＨ  ＦＬＯＷ  ＲＡＴＥ  ＡＳＳＥＳＳＭＥＮＴ」、２００７年１１月２０日出願）の米国特許法第１１９条第（ｅ）項の優先権の利益を主張する。
【０００２】
（発明の分野）
本発明は、概して、流体送達の分野に関し、より具体的には、標的流量および実際の流量の比較表示を提供するステップに関する。
【背景技術】
【０００３】
種々の医療処置では、１つ以上の流体を患者に注入することが必要とされる。医療撮像処置では、おそらく生理食塩水または他の流体とともに、患者に造影剤を注入することをしばしば伴う。他の医療処置では、治療目的のために１つ以上の流体を患者に注入することを伴う。このような種類の用途にパワーインゼクタを使用してもよい。
【０００４】
パワーインゼクタは、概して、パワーヘッドと一般的に呼ばれるものを含む。１つ以上のシリンジは、種々の様式（例えば、着脱式、後部装填、前部装填、側面装填）でパワーヘッドに装着されてもよい。各シリンジは、典型的には、シリンジプランジャ、ピストン、またはその同等物としての特徴を有してもよい。このようなシリンジプランジャの各々は、シリンジプランジャ駆動体の動作によって、関連するシリンジプランジャが軸方向に進むように、パワーヘッドに組み込まれる適切なシリンジプランジャ駆動体に適切に相互連結される。１つの典型的なシリンジプランジャ駆動体は、ネジ式リードまたは駆動ネジ上に装着されるラム形式である。一方の回転方向における駆動ネジの回転によって、関連するラムが一方の軸方向に進み、反対の回転方向における駆動ネジの回転によって、関連するラムが反対の軸方向に進む。
【０００５】
少なくともいくつかの市販のパワーインゼクタは、圧力制限を利用する。ユーザは、データ入力機器を利用して、圧力制限に所望の値を入力してもよい。圧力は、注入処置の実行中に監視される。この監視された圧力が、関連する圧力制限に到達するか、またはそれを上回る場合、適切な人員に警告が発行されてもよい。この警告は、パワーインゼクタと関連するグラフィカルユーザインターフェース上に出現してもよい。
【発明の概要】
【課題を解決するための手段】
【０００６】
本発明の第１の側面は、医療流体送達システムのための動作の方法によって具現化される。流体は、医療流体送達システムから（例えば、流体標的物に）放出され、第１の出力が表示される。この第１の出力は、標的流量と、医療流体送達システムから放出した流体に関する現在流量との間の関係の形式である。
【０００７】
本発明の第２の側面は、パワーインゼクタによって具現化される。このパワーインゼクタは、パワーヘッド、シリンジプランジャ駆動体、グラフィカルユーザインターフェース、および制御論理を含む。この制御論理は、医療流体送達プロトコルを実行するように、ならびに第１の出力を第１のグラフィカルユーザインターフェース上に提示するように構成される。この第１の出力は、医療流体送達プロトコルに関連する標的流量と、医療流体送達プロトコルの実行中に存在する現在流量との間の関係の形式である。
【０００８】
本発明の上述の第１および第２の側面の各々に関連して上述した特徴に関する種々の改良点が存在する。また、さらなる特徴を、本発明の上述の第１および第２の側面の各々に組み込んでもよい。これらの改良点および追加の特徴は、第１および第２の側面の各々に関して、個々にまたは任意の組み合わせで存在してもよい。すなわち、別途明記しない限り、説明する以下の特徴の各々を、任意の他の特徴または特徴の組み合わせとともに使用することは必要とされない。
【０００９】
流体は、任意の適切な様式で、例えば、パワーインゼクタを使用して、流体標的物に放出されてもよい。一実施形態では、流体は、流体標的物に注入される。任意のこのような流体標的物は、任意の適切なサイズ、形状、構成、および／または種類を有してもよい。一実施形態では、流体標的物は任意の適切な種類の患者（例えば、ヒト、動物）である。
【００１０】
流体は、標的流量に従って流体標的物に放出されてもよい。１つ以上の条件は、標的流量に従って実際に放出される流体の能力、例えば、流体標的物に至る流路における部分的または全体的な閉鎖／閉塞の存在に影響を及ぼしてもよい。標的流量および現在流量の比較出力を提示することによって、例えば、流体が撮像用途のために患者に注入される場合に、有効な情報をユーザまたは操作者に提供してもよい。
【００１１】
第１の出力は、少なくとも１つのグラフィカルユーザインターフェース上に、１つ以上の位置に、またはその両方に表示されてもよい。一実施形態では、第１の出力は、パワーインゼクタに関連するグラフィカルユーザインターフェース上（例えば、パワーヘッド上、遠隔コンソール上、またはその両方）に表示される。第１の出力は、現在流量と標的流量との間に、少なくとも一定の変動（例えば、一定の流量条件）が存在する場合にのみ表示されてもよい。別のオプションとして、流体の流体標的物への送達中に第１の出力を継続的に表示することが挙げられる。
【００１２】
第１の出力は、任意の適切な様式で、現在流量を標的流量と比較してもよい。第１の出力は、現在流量と標的流量との両方の大きさを表示する形式であってもよい。一実施形態では、現在流量および標的流量の各々の大きさは、数値的に提示される（例えば、「ｘ」ミリリットル／秒）。別の実施形態では、現在流量および標的流量の各々の大きさは、任意の適切な様式で、グラフで提示される（例えば、共通の「流量メータ」上、別々の「流量」メータ上に）。第１の出力は、標的流量の割合（例えば、９７％）としての現在流量の表現の形式であってもよい。また、第１の出力は、現在流量と標的流量との差異（例えば、-２ミリリットル／秒）の形式であってもよい。一実施形態では、現在流量は、標的流量を上回ることができない。これは、少なくともいくつかの事例において好適であってもよいが、全ての事例において必要とされるわけではない。実際の流量が、標的流量を上回ることが可能である場合、現在流量が標的流量を上回るか、または下回るかは、第１の出力を含む適切なサインを組み込むことによって表現されてもよい（例えば、正のサインは、現在流量が標的流量を上回ることを標示してもよく、一方、負のサインは、現在流量が標的流量を下回ることを標示してもよく、またはその逆も同様である）。
【００１３】
現在流量と標的流量との間に一定の変動が存在する場合、任意の適切な措置を取ってもよい。一実施形態では、メッセージを表示してもよく、および／または１つ以上の警告を発行して、医療流体送達システムから（例えば、流体標的物への）流体の放出が、対応する標的流量に従っていないこと、現在流量が、標的流量からの許容可能／選択流量変動外であること、一定の流量条件が存在すること、またはその同等物を標示してもよい。一実施形態では、医療流体送達システム（例えば、パワーインゼクタ）からの医療流体の放出は、少なくともある様式（例えば、中断、終了）で変更されてもよい。メッセージおよび／または少なくとも１つの警告の発行をトリガし得る流量変動は、医療流体送達システム（例えば、パワーインゼクタ）からの医療流体の放出において少なくともある種類の変更を行なうことをトリガし得る流量変動と同一または異なってもよい。例えば、医療流体送達システム（例えば、パワーインゼクタ）からの医療流体の放出の中断または終了をトリガするのに利用し得る大流量変動に比べて、小流量変動を利用して、メッセージおよび／または少なくとも１つの警告の発行をトリガしてもよい。
【００１４】
メッセージおよび／もしくは少なくとも１つの警告の発行をトリガし得る流量変動、ならびに／または医療流体送達システム（例えば、パワーインゼクタ）からの医療流体の放出における少なくともある種類の変更を行なうことをトリガし得る流量変動は、現在流量が標的流量上回る場合のみのものであってもよく、現在流量が標的流量を下回る場合のみのものであってもよく、または、現在流量が標的流量を上回るか、もしくは下回る場合のものであってもよい。メッセージおよび／または少なくとも１つの警告の発行をトリガする流量変動、ならびに医療流体送達システム（例えば、パワーインゼクタ）からの医療流体の放出における少なくともある種類の変更をトリガする流量変動（例えば、医療流体送達プロトコルの中断または終了）は、任意の適切な様式で（例えば、キーボード、マウス、タッチパッド、トラックボール、タッチスクリーンディスプレイ、ソフトキーディスプレイ、またはその同等物等のデータ入力機器であって、制御論理に動作可能に相互連結されるデータ入力機器によって）、入力可能／選択可能であってもよい。一実施形態では、少なくとも１つの流量変動または流量条件を入力するために、ユーザ／操作者のために、少なくとも１つのグラフィカルユーザインターフェース上にプロンプトが発行される。
【００１５】
利用し得る任意のパワーインゼクタは、任意の適切なサイズ、形状、構成、および／または種類を有してもよい。任意のこのようなパワーインゼクタは、任意の適切なサイズ、形状、構成、および／または種類の１つ以上のシリンジプランジャ駆動体を利用してもよく、このような各シリンジプランジャ駆動体は、少なくとも双方向移動（例えば、流体の放出のための第１の方向における移動、流体の装填に対応するため、および後続の流体放出動作の位置に戻すような第２の方向における移動）が可能であり、このような各シリンジプランジャ駆動体は、シリンジプランジャを少なくとも１つの方向に進めることが可能であるように（例えば、流体を放出するために）、任意の適切な様式で（例えば、機械的接触によって、適切な連結具（機械的または別の様態）によって）、その対応するシリンジプランジャと相互に作用してもよい。任意のこのようなパワーインゼクタは、任意の適切な医療用途（例えば、コンピュータ断層撮影法またはＣＴ画像法、磁気共鳴映像法またはＭＲＩ、ＳＰＥＣＴ画像法、ＰＥＴ画像法、Ｘ線画像法、血管造影画像法、光学的画像法、超音波画像法）が含まれるがこれらに限定されない１つ以上の流体の送達が所望される任意の適切な用途のために使用されてもよい。任意のこのようなパワーインゼクタは、適切な撮像システム（例えば、ＣＴスキャナ）等の任意の構成要素または構成要素の組み合わせと併用してもよい。例えば、任意のこのようなパワーインゼクタと１つ以上の他の構成要素との間で、情報（例えば、走査遅延情報、注入開始信号、注入速度）を伝達してもよい。任意の適切な数のシリンジは、任意の適切な様式（例えば、着脱式、前部装着、後部装着、側面装着）で、任意のこのようなパワーインゼクタと一体型であってもよく、任意の適切な流体は、任意のこのようなパワーインゼクタの所与のシリンジから放出されてもよく（造影剤、放射性医薬品、生理食塩水、およびそれらの任意の組み合わせ）、任意の適切な流体は、任意の適切な様式（例えば、順次的、同時）またはそれらの任意の組み合わせで、複数のシリンジパワーインゼクタ構成から放出されてもよい。一実施形態では、パワーインゼクタの動作によるシリンジから放出された流体は、導管に指向され、ここで、この導管は、任意の適切な様式でシリンジと流体的に相互連結され、流体を所望の位置（例えば、患者）に指向する。
【図面の簡単な説明】
【００１６】
【図１】図１は、パワーインゼクタの一実施形態の略図である。
【図２Ａ】図２Ａは、持ち運び可能なスタンド装着式デュアルヘッド型パワーインゼクタの一実施形態の斜視図である。
【図２Ｂ】図２Ｂは、図２Ａのパワーインゼクタが使用するパワーヘッドの拡大部分分解斜視図である。
【図２Ｃ】図２Ｃは、図２Ａのパワーインゼクタが使用するシリンジプランジャ駆動体またはシリンジプランジャ駆動アセンブリの一実施形態の略図である。
【図３】図３は、図１および図２Ａ〜図２Ｃのパワーインゼクタが使用し得るパワーインゼクタ制御論理の一実施形態の略図である。
【図４】図４は、図３のパワーインゼクタ制御論理が使用し得る流量評価プロトコルの一実施形態の略図である。
【図５】図５は、図４の流量評価プロトコルの１つ以上の側面を組み込み得る／具現化し得るパワーインゼクタのグラフィカルユーザインターフェースのための設定画面の一実施形態である。
【図６Ａ】図６Ａは、標的流量と現在流量との両方を数値的に表示するように構成されるパワーインゼクタのグラフィカルユーザインターフェースのための進行画面の一実施形態である。
【図６Ｂ】図６Ｂは、標的流量と現在流量の流量差分を表示するように構成されるパワーインゼクタのグラフィカルユーザインターフェースのための進行画面の一実施形態である。
【図６Ｃ】図６Ｃは、標的流量の割合として現在流量を表示するように構成されるパワーインゼクタのグラフィカルユーザインターフェースのための進行画面の一実施形態である。
【図６Ｄ】図６Ｄは、標的流量と現在流量との両方をグラフで表示するように構成されるパワーインゼクタのグラフィカルユーザインターフェースのための進行画面の一実施形態である。
【発明を実施するための形態】
【００１７】
図１は、パワーヘッド１２を有するパワーインゼクタ１０の一実施形態の略図を示す。１つ以上のグラフィカルユーザインターフェースつまりＧＵＩ１１は、パワーヘッド１２に関連してもよい。各ＧＵＩ１１は、１）任意の適切なサイズ、形状、構成、および／または種類を有してもよく、２）任意の適切な様式で、パワーヘッド１２と動作可能に相互連結してもよく、３）任意の適切な位置に配置されてもよく、４）パワーインゼクタ１０の動作の１つ以上の側面の制御、パワーインゼクタ１０の動作に関連する１つ以上のパラメータの入力／編集、および適切な情報（例えば、パワーインゼクタ１０の動作に関連する情報）の表示、あるいは５）前述のうちの任意の組み合わせの機能のうちの１つまたは任意の組み合わせを提供するように構成されてもよい。任意の適切な数のＧＵＩ１１を利用してもよい。一実施形態では、パワーインゼクタ１０は、パワーヘッド１２から分離するが、パワーヘッド１２と通信するコンソールにより組み込まれるＧＵＩ１１を含む。別の実施形態では、パワーインゼクタ１０は、パワーヘッド１２の一部であるＧＵＩ１１を含む。さらに別の実施形態では、パワーインゼクタ１０は、パワーヘッド１２と通信する別々のコンソール上で一方のＧＵＩ１１を利用し、パワーヘッド１２の上にある別のＧＵＩ１１も利用する。各ＧＵＩ１１は、同一の機能性または同一組の機能性を提供してもよく、またはＧＵＩ１１は、そのそれぞれの機能性に関して少なくともある点において異なってもよい。
【００１８】
シリンジ２８は、このパワーヘッド１２上に設置されてもよく、パワーインゼクタ１０の一部であると考えられてもよい。注入処置によっては、シリンジ２８内に比較的高い圧力が生成され得る。この点に関し、圧力ジャケット２６内にシリンジ２８を配置することが望ましくてもよい。圧力ジャケット２６は、典型的には、パワーヘッド１２上に設置され、その後、シリンジ２８が圧力ジャケット２６に配置される。複数の注入処置のために種々のシリンジ２８が圧力ジャケット２６内に配置され、かつ圧力ジャケット２６から取り外される際に、典型的には、同一の圧力ジャケット２６がパワーヘッド１２上に設置されたままである。パワーインゼクタ１０が低圧注入用に構成／利用される場合、パワーインゼクタ１０は、圧力ジャケット２６を排除してもよい。いずれの場合であっても、シリンジ２８から放出される流体は、任意の適切なサイズ、形状、構成、および／または種類の導管３８に指向され、導管３８は、任意の適切な様式でシリンジ２８に流体的に相互連結されてもよく、流体を任意の適切な位置（例えば、患者）に指向してもよい。
【００１９】
パワーヘッド１２は、シリンジ２８から流体を放出するためにシリンジ２８と相互に作用する（例えば、相互作用する）シリンジプランジャ駆動アセンブリまたはシリンジプランジャ駆動体１４を含む。このシリンジプランジャ駆動アセンブリ１４は、駆動出力部１８（例えば、回転可能駆動ネジ）に動力供給する駆動源１６（例えば、任意の適切なサイズ、形状、構成、および／または種類のモータ、任意の歯車装置、およびその同等物）を含む。ラム２０は、駆動出力部１８によって、適切な経路（例えば、軸方向）に沿って進められてもよい。ラム２０は、後述する様式で、シリンジ２８の対応する部分と相互作用するための連結具２２を含んでもよい。
【００２０】
シリンジ２８は、シリンジバレル３０内に移動可能に配置されるプランジャまたはピストン３２を含む（例えば、双頭矢印Ｂに一致する軸に沿った軸方向往復のため）。プランジャ３２は、連結具３４を含んでもよい。このシリンジプランジャ連結具３４は、ラム連結具２２と相互作用または相互に作用し、シリンジプランジャ駆動アセンブリ１４がシリンジバレル３０内にシリンジプランジャ３２を引き込むことを可能にする。シリンジプランジャ連結具３４は、頭部またはボタン３６ｂとともにシリンジプランジャ３２の本体から延出するシャフト３６ａの形式であってもよい。しかしながら、シリンジプランジャ連結具３４は、任意の適切なサイズ、形状、構成、および／または種類を有してもよい。
【００２１】
概して、シリンジプランジャ駆動アセンブリ１４は、シリンジプランジャ３２を少なくとも１つの方向に移動または進めることが可能であるように（例えば、流体を対応するシリンジ２８から放出するために）、任意の適切な様式で（例えば、機械的接触によって、適切な連結具（機械的または別の様態）によって）、パワーインゼクタ１０の各シリンジプランジャ３２と相互に作用してもよい。すなわち、シリンジプランジャ駆動アセンブリ１４は、双方向運動（例えば、同一の駆動源１６の動作を介する）が可能であってもよいが、パワーインゼクタ１０は、シリンジプランジャ駆動アセンブリ１４の動作が、実際は、パワーインゼクタ１０が使用する各シリンジプランジャ３２を一方向のみに移動するだけであるように構成されてもよい。しかしながら、シリンジプランジャ駆動アセンブリ１４は、このような各シリンジプランジャ３２が２つの異なる方向（例えば、共通軸経路に沿った異なる方向）の各々に移動可能であるように、パワーインゼクタ１０が使用する各シリンジプランジャ３２と相互に作用するように構成されてもよい。
【００２２】
シリンジプランジャ３２の引き込みを、後続の注入または放出のために流体をシリンジバレル３０に装填することに対応するように利用するか、後続の注入または放出のために流体をシリンジバレル３０に実際に引き込むように利用するか、または任意の他の適切な目的に利用してもよい。一定の構成は、シリンジプランジャ駆動アセンブリ１４がシリンジプランジャ３２を引き込み可能であることを必要としなくてもよく、この場合、ラム連結具２２およびシリンジプランジャ連結具３４は必要とされ得ない。この場合、シリンジプランジャ駆動アセンブリ１４は、別の流体送達動作の実行の目的で引き込まれてもよい（例えば、別の事前充填されたシリンジ２８が設置された後）。ラム連結具２２およびシリンジプランジャ連結具３４を利用する場合であっても、ラム２０がシリンジプランジャ３２を進めてシリンジ２８から流体を放出する（例えば、ラム２０が単にシリンジプランジャ３４またはシリンジプランジャ３２の近位端を「押圧」してもよい）場合に、これらの構成要素を連結してもしなくてもよいようにする。任意の適切な寸法または寸法の組み合わせにおける任意の単一の運動または組み合わせた運動を利用して、ラム連結具２２およびシリンジプランジャ連結具３４を連結状態もしくは状況に配置するか、ラム連結具２２およびシリンジプランジャ連結具３４を分離状態もしくは状況に配置してもよく、またはその両方であってもよい
シリンジ２８は、任意の適切な様式でパワーヘッド１２上に設置されてもよい。例えば、シリンジ２８は、パワーヘッド１２上に直接設置されるように構成され得る。図示する実施形態では、シリンジ２８とパワーヘッド１２との間の相互作用部を提供するために、パワーヘッド１２上に筐体２４が適切に装着される。この筐体２４は、１つ以上の構成のシリンジ２８が設置され得るアダプタ形式であってもよく、この場合、少なくとも１つの構成のシリンジ２８が、このような任意のアダプタを使用せずに、パワーヘッド１２上に直接設置されてもよい。また、筐体２４は、１つ以上の構成のシリンジ２８が設置され得る面板形式であり得る。この場合、パワーヘッド１２上へのシリンジ２８の設置に面板を必要とするようにし、つまり、シリンジ２８は、面板を含まずにパワーヘッド１２上に設置され得ない。圧力ジャケット２６を使用する場合、シリンジ２８に関連して本明細書に説明する種々の様式でパワーヘッド１２上にシリンジ２８を設置してもよく、その後、圧力ジャケット２６にシリンジ２８を設置する。
【００２３】
筐体２４は、シリンジ２８を設置する際、パワーヘッド１２上に装着され、パワーヘッド１２に対して固定位置に存在してもよい。別のオプションとして、シリンジ２８の設置に対応するために、筐体２４およびパワーヘッド１２を移動可能に相互連結することが挙げられる。例えば、筐体２４は、双頭矢印Ａを含む面内で移動して、ラム連結具２２とシリンジプランジャ連結具３４との間の連結状態または状況および分離状態または状況のうちの１つ以上を提供してもよい。
【００２４】
１つの特定のパワーインゼクタ構成が、図２Ａに図示され、参照数字４０で識別され、少なくとも、概して、図１のパワーインゼクタ１０に従う。パワーインゼクタ４０は、持ち運び可能スタンド４８上に装着されるパワーヘッド５０を含む。パワーインゼクタ４０のための一対のシリンジ８６ａ、８６ｂが、パワーヘッド５０上に装着される。流体は、パワーインゼクタ４０の動作中に、シリンジ８６ａ、８６ｂから放出されてもよい。
【００２５】
持ち運び可能スタンド４８は、任意の適切なサイズ、形状、構成、および／または種類を有してもよい。車輪、ローラ、キャスタ、またはその同等物を利用して、スタンド４８を持ち運び可能にしてもよい。パワーヘッド５０は、持ち運び可能スタンド４８に対して固定位置に保持されてもよい。しかしながら、少なくともある様式で、パワーヘッド５０の位置が持ち運び可能スタンド４８に対して調整可能にすることが望ましくてもよい。例えば、シリンジ８６ａ、８６ｂのうちの１つ以上に流体を装填する際に、持ち運び可能スタンド４８に対して一方の位置にパワーヘッド５０を有し、注入処置を実行するために、持ち運び可能スタンド４８に対して異なる位置にパワーヘッド５０を有することが望ましくてもよい。この点に関し、パワーヘッド５０は、任意の適切な様式で（例えば、パワーヘッド５０が少なくとも一定の運動領域の運動によって枢動し、その後、所望の位置に保持されるように）、持ち運び可能スタンド４８に移動可能に相互連結されてもよい。
【００２６】
流体を提供するために、任意の適切な様式でパワーヘッド５０を支持してもよいことを理解されたい。例えば、持ち運び可能構造上に装着する代わりに、パワーヘッド５０を支持アセンブリと相互連結してもよく、次いで、支持アセンブリを適切な構造（例えば、天井、壁、床）に装着する。パワーヘッド５０のための任意の支持アセンブリは、少なくともいくつかの点において位置調整可能であり得るか（例えば、１つ以上の他の支持区分に対して再配置され得る１つ以上の支持区分を有することによって）、または固定位置に保持され得る。さらに、パワーヘッド５０は、固定位置に保持されるように、または支持アセンブリに対して調整可能であるように、任意のこのような支持アセンブリと一体型であってもよい。
【００２７】
パワーヘッド５０は、グラフィカルユーザインターフェースつまりＧＵＩ５２を含む。このＧＵＩ５２は、パワーインゼクタ４０の動作の１つ以上の側面の制御、パワーインゼクタ４０の動作に関連する１つ以上のパラメータの入力／編集、および適切な情報（例えば、パワーインゼクタ４０の動作に関連する情報）の表示の機能のうちの１つまたは任意の組み合わせを提供するように構成されてもよい。また、パワーインゼクタ４０は、コンソール４２およびパワーパック４６も含んでもよく、これらの各々は、テーブル上に配置され得るか、または検査室の電子機器ラックもしくは任意の他の適切な位置に装着され得るか、あるいはその両方であり得る任意の適切な様式で（例えば、１つ以上のケーブルを介して）パワーヘッド５０と通信してもよい。パワーパック４６は、注入器４０の電力供給部、コンソール４２とパワーヘッド５０との間の通信を提供するためのインターフェース回路、遠隔コンソール等の遠隔ユニットへのパワーインゼクタ４０の接続を可能にする回路、遠隔ハンドもしくはフット制御スイッチ、または他の相手先ブランド製造（ｏｒｉｇｉｎａｌ  ｅｑｕｉｐｍｅｎｔ  ｍａｎｕｆａｃｔｕｒｅｒ；  ＯＥＭ）遠隔制御接続（例えば、パワーインゼクタ４０の動作を、撮像システムのＸ線暴露と同期可能にする）、および任意の他の適切な構成部品のうちの１つ以上、ならびに任意の適切な組み合わせを含んでもよい。コンソール４２は、タッチスクリーンディスプレイ４４を含んでもよく、タッチスクリーンディスプレイ４４は、パワーインゼクタ４０の動作の１つ以上の側面を操作者が遠隔的に制御可能にすること、パワーインゼクタ４０の動作に関連する１つ以上のパラメータを操作者が入力／編集可能にすること、パワーインゼクタ４０の自動動作のためのプログラムを操作者が特定および格納可能にすること（後に、操作者による始動時に、パワーインゼクタ４０により電動的に実行可能である）、およびパワーインゼクタ４０に関連し、かつその動作の任意の側面を含む任意の適切な情報を表示することの機能のうちの１つ以上を提供してもよい。
【００２８】
シリンジ８６ａ、８６ｂのパワーヘッド５０との一体化に関する種々の詳細について図２Ｂに提示する。シリンジ８６ａ、８６ｂの各々は、同一の一般的な構成要素を含む。シリンジ８６ａは、シリンジバレル８８ａ内に移動可能に配置されるプランジャまたはピストン９０ａを含む。パワーヘッド５０の動作を介した軸１００ａ（図２Ａ）に沿ったプランジャ９０ａの移動によって、シリンジバレル８８ａ内からシリンジ８６ａのノズル８９ａを介して流体が放出される。適切な導管（図示せず）は、典型的には、任意の適切な様式でノズル８９ａに流体的に相互連結し、流体を所望の位置（例えば、患者）に指向する。同様に、シリンジ８６ｂは、シリンジバレル８８ｂ内に移動可能に配置されるプランジャまたはピストン９０ｂを含む。パワーヘッド５０の動作を介した軸１００ｂ（図２Ａ）に沿ったプランジャ９０ｂの移動によって、シリンジバレル８８ｂ内からシリンジ８６ｂのノズル８９ｂを介して流体が放出される。適切な導管（図示せず）は、典型的には、任意の適切な様式でノズル８９ｂに流体的に相互連結し、流体を所望の位置（例えば、患者）に指向する。
【００２９】
シリンジ８６ａは、中間面板１０２ａを介してパワーヘッド５０に相互連結される。この面板１０２ａは、シリンジバレル８８ａの少なくとも一部を支持するクレードル１０４を含み、任意の追加の機能性または機能性の組み合わせを提供／収容してもよい。装着具８２ａは、面板１０２ａとの相互作用のためにパワーヘッド５０上に配置され、かつそれに対して固定される。シリンジ８６ａのシリンジプランジャ駆動アセンブリ５６の各部分であるラム７４のラム連結具７６は、パワーヘッド５０上への装着時に、面板１０２ａに近接して配置される。シリンジプランジャ駆動アセンブリ５６に関する詳細について、図２Ｃに関連して以下に詳述する。概して、ラム連結具７６は、シリンジ８６ａのシリンジプランジャ９０ａに連結されてもよく、次いで、ラム連結具７６およびラム７４をパワーヘッド５０に対して移動させて、軸１００ａ（図２Ａ）に沿ってシリンジプランジャ９０ａを移動させてもよい。シリンジプランジャ９０ａを移動させてシリンジ８６ａのノズル８９ａから流体を放出する際に、ラム連結具７６が、シリンジプランジャ９０ａと係合するが、実際にはシリンジプランジャ９０ａに連結されないようにする。
【００３０】
面板１０２ａは、パワーヘッド５０上のその装着具８２ａ上への面板１０２ａの装着およびそこからの面板１０２ａの取り外しの両方のために、少なくとも、概して、軸１００ａ、１００ｂ（シリンジプランジャ９０ａ、９０ｂの移動にそれぞれ関連し、図２Ａに示される）に直交する面内において移動してもよい。面板１０２ａを使用して、シリンジプランジャ９０ａを、パワーヘッド５０上の対応するラム連結具７６に連結してもよい。この点に関し、面板１０２ａは、一対のハンドル１０６ａを含む。概して、シリンジ８６ａが面板１０２ａ内に最初に配置されている状態で、ハンドル１０６ａは、少なくとも、概して、軸１００ａ、１００ｂ（シリンジプランジャ９０ａ、９０ｂの移動にそれぞれ関連し、図２Ａに示される）に直交する面内においてシリンジ８６ａを移動／平行移動するように移動され得る。ハンドル１０６ａを一方の位置に移動することによって、シリンジ８６ａが、少なくとも、概して、下方方向に移動／平行移動し（面板１０２ａに対して）、そのシリンジプランジャ９０ａがその対応するラム連結具７６に連結する。ハンドル１０６ａを別の位置に移動することによって、シリンジ８６ａが、少なくとも、概して、上方方向に移動／平行移動し（面板１０２ａに対して）、そのシリンジプランジャ９０ａがその対応するラム連結具７６から分離する。
【００３１】
シリンジ８６ｂは、中間面板１０２ｂを介してパワーヘッド５０に相互連結される。装着具８２ｂは、面板１０２ｂとの相互作用のためにパワーヘッド５０上に配置され、かつそれに対して固定される。シリンジ８６ｂのシリンジプランジャ駆動アセンブリまたはシリンジプランジャ駆動体５６の各部分であるラム７４のラム連結具７６は、パワーヘッド５０への装着時に、面板１０２ｂに近接して配置される。シリンジプランジャ駆動アセンブリ５６に関する詳細について、図２Ｃに関連して再び以下に詳述する。概して、ラム連結具７６は、シリンジ８６ｂのシリンジプランジャ９０ｂに連結されてもよく、次いで、ラム連結具７６およびラム７４をパワーヘッド５０に対して移動させて、軸１００ｂ（図２Ａ）に沿ってシリンジプランジャ９０ｂを移動させてもよい。シリンジプランジャ９０ｂを移動させてシリンジ８６ｂのノズル８９ｂから流体を放出する際に、ラム連結具７６が、シリンジプランジャ９０ｂと係合するが、実際にはシリンジプランジャ９０ｂに連結されないようにする。
【００３２】
面板１０２ｂは、パワーヘッド５０上のその装着具８２ｂ上への面板１０２ｂの装着およびそこからの面板１０２ｂの取り外しの両方のために、少なくとも、概して、軸１００ａ、１００ｂ（シリンジプランジャ９０ａ、９０ｂの移動にそれぞれ関連し、図２Ａに示される）に直交する面内において移動してもよい。面板１０２ｂを使用して、シリンジプランジャ９０ｂを、パワーヘッド５０上のその対応するラム連結具７６に連結してもよい。この点に関し、面板１０２ｂは、ハンドル１０６ｂを含んでもよい。概して、シリンジ８６ｂが面板１０２ｂ内に最初に配置されている状態で、シリンジ８６ｂは、その長軸１００ｂ（図２Ａ）に沿って、かつ面板１０２ｂに対して回転し得る。この回転は、ハンドル１０６ｂを移動させることによって、シリンジ８６ｂを把持および旋回することによって、またはその両方によって実現され得る。いずれの場合であっても、この回転によって、シリンジ８６ｂおよび面板１０２ｂの両方が、少なくとも、概して、軸１００ａ、１００ｂ（シリンジプランジャ９０ａ、９０ｂの移動にそれぞれ関連し、図２Ａに示される）に直交する面内において移動／平行移動する。シリンジ８６ｂを一方の方向に回転させることによって、シリンジ８６ｂおよび面板１０２ｂが、少なくとも、概して、下方方向に移動／平行移動し、シリンジプランジャ９０ｂがその対応するラム連結具７６に連結する。シリンジ８６ｂを反対の方向に回転させることによって、シリンジ８６ｂおよび面板１０２ｂが、少なくとも、概して、上方方向に移動／平行移動し、そのシリンジプランジャ９０ｂがその対応するラム連結具７６から分離する。
【００３３】
図２Ｂに図示するように、シリンジプランジャ９０ｂは、プランジャ本体９２およびシリンジプランジャ連結具９４を含む。このシリンジプランジャ連結具９４は、プランジャ本体９２から延出するシャフト９８と、プランジャ本体９２から離間するヘッド９６とを含む。ラム連結具７６の各々は、ラム連結具７６の対向面における小さい方のスロットの後方に配置される大きい方のスロットを含む。シリンジプランジャ連結具９４のヘッド９６は、ラム連結具７６の大きい方のスロット内に配置されてもよく、シリンジプランジャ連結具９４のシャフト９８は、シリンジプランジャ９０ｂおよびその対応するラム連結具７６が連結状態または状況である場合に、ラム連結具７６の対向面上の小さい方のスロットを貫通し得る。シリンジプランジャ９０ａは、その対応するラム連結具７６との相互作用のために類似のシリンジプランジャ連結具９４を含み得る。
【００３４】
パワーヘッド５０を利用して、パワーインゼクタ４０の場合に、シリンジ８６ａ、８６ｂから流体を放出する。すなわち、パワーヘッド５０は、シリンジ８６ａ、８６ｂの各々から流体を放出するための原動力を提供する。シリンジプランジャ駆動アセンブリまたはシリンジプランジャ駆動体としての特徴を有し得るものに関する一実施形態が、図２Ｃに示され、参照数字５６で識別され、シリンジ８６ａ、８６ｂの各々から流体を放出するためにパワーヘッド５０により利用されてもよい。別々のシリンジプランジャ駆動アセンブリ５６を、シリンジ８６ａ、８６ｂの各々のパワーヘッド５０に組み込んでもよい。この点に関し、再び図２Ａ〜図２Ｂを参照すると、パワーヘッド５０は、シリンジプランジャ駆動アセンブリ５６の各々を別々に制御する際に使用する手動式ノブ８０ａおよび８０ｂを含んでもよい。
【００３５】
最初に、図２Ｃのシリンジプランジャ駆動アセンブリ５６に関連して、その個々の構成要素の各々は、任意の適切なサイズ、形状、構成、および／または種類を有してもよい。シリンジプランジャ駆動アセンブリ５６は、出力シャフト６０を有するモータ５８を含む。駆動歯車６２が、モータ５８の出力シャフト６０上に装着され、かつそれとともに回転する。駆動歯車６２は、駆動歯車６４に係合するか、または少なくともそれに係合可能である。この駆動歯車６４は、駆動ネジまたはシャフト６６上に装着され、かつそれとともに回転する。駆動ネジ６６が回転する軸は、参照数字６８により識別される。１つ以上の軸受７２が、駆動ネジ６６を適切に支持する。
【００３６】
キャリッジまたはラム７４は、駆動ネジ６６上に移動可能に装着される。概して、駆動ネジ６６の一方方向における回転は、駆動ネジ６６に沿って（したがって、軸６８に沿って）、対応するシリンジ８６ａ／ｂの方向にラム７４を軸方向に進め、一方、駆動ネジ６６の反対方向における回転は、駆動ネジ６６に沿って（したがって、軸６８に沿って）、対応するシリンジ８６ａ／ｂから離隔してラム７４を軸方向に進める。この点に関し、駆動ネジ６６の少なくとも一部分の外周は、ラム７４の少なくとも一部分に相互作用する螺旋状ネジ山７０を含む。また、ラム７４は、駆動ネジ６６の回転中にラム７４を回転不可能にする適切なブッシング７８内に移動可能に装着される。ゆえに、駆動ネジ６６の回転によって、駆動ネジ６６の回転方向によって定められる方向にラム７４の軸方向の移動が提供される。
【００３７】
ラム７４は、対応するシリンジ８６ａ／ｂのシリンジプランジャ９０ａ／ｂのシリンジプランジャ連結具９４に着脱可能に連結され得る連結具７６を含む。ラム連結具７６およびシリンジプランジャ連結具９４が適切に連結される場合、シリンジプランジャ９０ａ／ｂは、ラム７４とともに移動する。図２Ｃは、シリンジ８６ａ／ｂが、ラム７４に連結せずにその対応する軸１００ａ／ｂに沿って移動し得る構成を示す。シリンジ８６ａ／ｂがその対応する軸１００ａ／ｂに沿って移動し、そのシリンジプランジャ９０ａ／ｂのヘッド９６がラム連結具７６に整合するが、図２Ｃのオフセット構成では依然として軸６８に整合しない場合、シリンジ８６ａ／ｂは、ラム７４が沿って移動する軸６８に直交する面内において平行移動してもよい。これにより、上述の様式におけるラム連結具７６とシリンジプランジャ連結具９６との間の連結係合が確立する。
【００３８】
図１および図２Ａ〜図２Ｃのパワーインゼクタ１０、４０の各々を、流体を被検者（例えば、患者）に注入する医療撮像用途を含むがこれに限定されない任意の適切な用途に使用してもよい。パワーインゼクタ１０、４０の代表的な医療撮像用途には、コンピュータ断層撮影法またはＣＴ画像法、磁気共鳴映像法またはＭＲＩ、ＳＰＥＣＴ画像法、ＰＥＴ画像法、Ｘ線画像法、血管造影画像法、光学的画像法、および超音波画像法が含まれるがこれらに限定されない。パワーインゼクタ１０、４０の各々は、単体で使用してもよく、または１つ以上の他の構成要素と組み合わせて使用してもよい。パワーインゼクタ１０、４０の各々は、例えば、パワーインゼクタ１０、４０と１つ以上の他の構成要素との間で情報（例えば、走査遅延情報、注入開始信号、注入速度）を伝達するように、１つ以上の構成要素に動作可能に相互連結されてもよい。
【００３９】
単一ヘッド型構成（単一シリンジ用）およびデュアルヘッド型構成（２つのシリンジ用）を含むがこれらに限定されないパワーインゼクタ１０、４０の各々は、任意の数のシリンジを利用してもよい。複数シリンジ構成の場合、各パワーインゼクタ１０、４０は、任意の適切な様式で、任意のタイミング順序に従って（例えば、２つ以上のシリンジから順次的に放出、２つ以上のシリンジから同時に放出、またはそれらの任意の組み合わせで）、種々のシリンジから流体を放出してもよい。パワーインゼクタ１０、４０の各々が利用するこのような各シリンジは、任意の適切な流体、例えば、造影剤、放射性医薬品、生理食塩水、およびそれらの任意の組み合わせを含んでもよい。パワーインゼクタ１０、４０の各々が利用するこのような各シリンジは、任意の適切な様式で設置されてもよい（例えば、後部装填構成を利用してもよく、前部装填構成を利用してもよく、または側面装填構成を利用してもよい）。
【００４０】
図３は、図１のパワーインゼクタ１０および図２Ａ〜図２Ｃのパワーインゼクタ４０を含むがこれらに限定されない任意の適切なパワーインゼクタにより利用され得るパワーインゼクタ制御システム１２０の一実施形態を図示する。パワーインゼクタ制御システム１２０は、任意の適切な構成および／または種類の１つ以上のデータ入力機器１２２（例えば、キーボード、マウス、タッチパッド、トラックボール、タッチスクリーンディスプレイ、ソフトキーディスプレイ）を含んでもよい。これらのデータ入力機器１２２のうちの１つ以上は、パワーインゼクタ制御モジュールまたはパワーインゼクタ制御論理１２４と動作可能に相互連結されてもよい。パワーインゼクタ制御論理１２４は、任意の適切な形式および／もしくは構成を有してもよく、任意の適切な様式で実装もしくは一体化されてもよく、またはその両方であってもよい（例えば、パワーインゼクタソフトウェアにおいて、ソフトウェア、ハードウェア、ファームウェア、およびそれらの任意の組み合わせにより実装される）。一実施形態では、制御論理１２４の機能性は、任意の適切なサイズ、形状、構成、および／または種類の１つ以上のプロセッサによって提供される。一実施形態では、制御論理１２４の機能性は、任意の適切なサイズ、形状、構成、および／または種類の１つ以上のコンピュータによって提供される。少なくとも１つのグラフィカルユーザインターフェース１３６は、適切な出力を提示する（例えば、対応するパワーインゼクタの操作者に）ために、パワーインゼクタ制御論理１２４と動作可能に相互連結されてもよい。
【００４１】
パワーインゼクタ制御論理１２４は、少なくとも１つの流体送達または注入プロトコル１２６（例えば、医療用途のためのものであり、医療流体送達処置または動作と呼ばれてもよい）と、流量評価プロトコル１４０とを含むように構成されてもよく、その各々は、プログラムされたシーケンスの形式であってもよい。医療流体用途では、プロトコル１２６は、医療流体送達プロトコル１２６と呼ばれてもよい。各流体送達プロトコル１２６は、患者への注入による等の、１つ以上の流体が流体標的物に送達される様式を制御するように構成されてもよい。特定の流体送達プロトコル１２６は、プログラムされた体積の第１の流体を、プログラムされた流量で送達し、ならびにプログラムされた体積の第２の流体を、プログラムされた流量で送達するように構成されてもよい。第１および第２の流体の各々の各送達は、位相としての特徴を有してもよい。１つ以上の位相を、第１および第２の流体の各々について利用してもよい。一実施形態では、第１の流体は造影剤であり、第２の流体は生理食塩水である。流量評価プロトコル１４０について、以下により詳細に論じるが、概して、流体送達プロトコル１２６の実行中に、比較流量情報を提供するように構成される。
【００４２】
図３のパワーインゼクタ制御モジュール１２４は、所望／必要に応じて、１つ以上の追加のプロトコルを含んでもよく、その各々は、プログラムされたシーケンスの形式であってもよい。少なくとも１つの流体送達プロトコル１２６および流量評価プロトコル１４０に加え、所望／必要に応じてパワーインゼクタ制御論理１２４が利用し得る代表的なプロトコルには、ＯｐｔｉＢｏｌｕｓ（登録商標）プロトコル１２８、Ｔｉｍｉｎｇ  Ｂｏｌｕｓ（登録商標）プロトコル１３０、および滴下モードプロトコル１３２が含まれるが、これらに限定されない。概して、ＯｐｔｉＢｏｌｕｓ（登録商標）プロトコル１２８は、指数関数的に減衰する流量注入であって、造影剤の利用を最適化し、かつ対象範囲の均一な増強時間を延長する流量注入を送達するように構成されてもよい。Ｔｉｍｉｎｇ  Ｂｏｌｕｓ（登録商標）注入プロトコル１３０は、対象範囲における造影剤の捕捉に必要とされる最適な走査遅延を判断する目的で、タイミングボーラス注入、つまり少量の造影剤の後に、少量の生理食塩水を患者に提供するように構成されてもよい。滴下モードプロトコル１３２は、パワーインゼクタから患者への流体経路の開放を維持するために、滴下注入、つまり患者に送達する少量の生理食塩水の低流量注入を提供するように構成されてもよい。
【００４３】
流量評価プロトコルの一実施形態が図４に図示され、参照数字１４０によって識別され、図３のパワーインゼクタ制御論理１２４によって利用されてもよい。一実施形態では、流量評価プロトコル１４０は、ソフトウェア、ハードウェア、ファームウェア、およびそれらの任意の組み合わせによって実装される。一実施形態では、流量評価プロトコル１４０の機能性は、任意の適切なサイズ、形状、構成、および／または種類の１つ以上のプロセッサを使用して実装される。一実施形態では、流量評価プロトコル１４０の機能性は、任意の適切なサイズ、形状、構成、および／または種類の１つ以上のコンピュータを使用して実装される。
【００４４】
多数のパラメータまたはその同等物を、流量評価プロトコル１４０に関連して、任意の適切な様式で、任意の適切な順序で入力または選択してもよい。流体送達プロトコル１２６は、ステップ１４２の実行によって、入力または選択されてもよい。例えば、図３のデータ入力機器１２２を使用して、流体送達プロトコル１２６を少なくとも部分的に規定する１つ以上のパラメータを入力／編集してもよく、格納された流体送達プロトコル１２６をメモリから読み出してもよく、またはその両方を行なってもよい。これらのパラメータのうちの１つは、少なくとも１つのプログラムされた流量または標的流量の形式であってもよい（ステップ１４４）。複数の位相は、流体送達プロトコル１２６を規定してもよく、これらの位相の各々は、それ自体の対応するプログラムされた流量／標的流量を有してもよい。
【００４５】
図４の流量評価プロトコル１４０の目的のための別のパラメータは、中断／終了流量条件である（ステップ１４６）。１つ以上の中断／終了流量条件は、ステップ１４６の実行によって、任意の適切な様式で入力または選択されてもよい。中断／終了流量条件は、概して、流体送達プロトコル１２６の実行中にもし発生するのであれば、流体送達プロトコル１２６の中断または終了をもたらすか、またはトリガする条件である。任意の適切な流量条件は、流量評価プロトコル１４０の目的のために、流体送達プロトコル１２６の中断または終了をもたらすか、またはトリガしてもよい。
【００４６】
一実施形態では、図４の流量評価プロトコル１４０のステップ１４８を参照すると、中断／終了流量条件は、流量変動の形式である。この流量変動は、任意の適切な形式であってもよく、任意の適切な様式で判断／表現されてもよいが、概して、標的流量（ステップ１４４）と、流体送達プロトコル１２６の実行中に存在し得る現在または実際の流量（ステップ１５６）との間の、ある許容不可能な差異が存在することを標示する。一実施形態では、流量変動は、標的流量を上回らない実際の流量に限定されるが、これは、全ての事例において必要とされるわけではない。前述のように、複数の位相は、流体送達プロトコル１２６を規定し、これらの位相の各々は、それ自体の対応する中断／終了流量条件を有してもよい（ステップ１４６）。
【００４７】
また、図４の流量評価プロトコル１４０は、任意の適切な様式で、少なくとも１つのメッセージ／警告生成流量条件または流量変動を入力／選択することにも対応する（ステップ１５２）。メッセージ／警告生成流量条件は、概して、流体送達プロトコル１２６の実行中にもし発生するのであれば、少なくとも１つのメッセージまたは警告の発行をもたらすか、またはトリガする条件である。任意の適切なメッセージ、警告、またはそれらの組み合わせを、ステップ１５２の目的に利用してもよい。任意の適切な流量条件は、少なくとも１つのメッセージまたは警告をもたらすか、またはトリガしてもよい。ステップ１５２の目的のための流量条件は、ステップ１４６に関連する流量条件と同一もしくは異なる種類であってもよく、ステップ１４６に関連する流量条件と同一もしくは異なる大きさを有してもよく、またはその両方であってもよい。前述のように、複数の位相は、流体送達プロトコル１２６を規定してもよく、これらの位相の各々は、それ自体の対応するメッセージ／警告流量条件を有してもよい（ステップ１５２）。
【００４８】
図４の流量評価プロトコル１４０のステップ１４２、１４６、および１５２は、任意の適切な様式で、任意の適切な順序で実行されてもよい。流量評価プロトコル１４０がステップ１４６および１５２の各々を利用してもよいが、これらのステップのうちの片方または両方は、全ての事例において必要とされるわけではない。
【００４９】
図４の流量評価プロトコル１４０が、所望／必要に応じて構成されると、流体送達プロトコル１２６は、ステップ１５４に従って実行されてもよい。実際または現在流量は、ステップ１５６の実行によって、流体送達プロトコル１２６（ステップ１５４）の実行中に監視される。この実際または現在流量は、任意の所与の時点に実現または生成される流量である。流量は、任意の適切な様式で監視されてもよく、ステップ１５６が入手した流量情報は、任意の適切なベースで更新されてもよい。
【００５０】
実際または現在流量（ステップ１５６）は、図４の流量評価プロトコル１４０のステップ１５８に関して、プログラムされた流量または標的流量（ステップ１４４）と比較される。実際／現在流量のプログラム／標的流量との比較は、ステップ１５８の目的で、任意の適切な様式で行なわれてもよく、この比較は、任意の適切なベースで始動／更新されてもよい。ステップ１６０は、実際／現在流量（ステップ１５６）とプログラム／標的流量（１４４）に関する比較出力を表示することを対象とする。この比較出力は、任意の適切な位置または位置の組み合わせにおいて表示されてもよく（例えば、パワーインゼクタに関連するグラフィカルユーザインターフェース上）、任意の適切なベースで表示されてもよく、またはその両方であってもよい。一実施形態では、ステップ１６０からの比較出力は、継続的に表示される。別の実施形態では、ステップ１６０からの比較出力は、実際／現在流量とプログラム／標的流量との間に一定の関係が進展または存在する場合（例えば、実際／現在流量とプログラム／標的流量との間に少なくとも一定の差分または流量変動が存在する場合）にのみ、表示される。
【００５１】
流量評価プロトコル１４０のステップ１６２および１６４は、それぞれステップ１５２および１４６に関する。ステップ１６２は、少なくとも１つの流量条件または流量変動が存在する場合、少なくとも１つのメッセージ、少なくとも１つの警告、またはその両方を表示することを対象とする。ステップ１６４は、少なくとも１つの中断／終了流量条件または流量変動が存在する場合、流体送達プロトコル１２６の実行を中断または終了すること（または、さらに概して、流体送達プロトコル１２６に関する少なくとも１つのへ変更を行なうこと）を対象とする。前述のように、同一の流量条件または流量変動が、ステップ１６２および１６４の各々の実行をトリガしてもよいが、これが、常に当てはまるわけではない。例えば、少なくとも１つのメッセージまたは警告は、第１の流量条件または第１の流量変動が存在する場合に、ステップ１６２の実行によって発行されてもよく、一方、流体送達プロトコル１２６は、異なる第２の流量条件または第２の流量変動が存在する場合に、ステップ１６４の実行によって、中断または終了されてもよい。
【００５２】
設定画面の一実施形態が図５に図示され、参照数字２３０によって識別される。設定画面２３０は、任意のパワーインゼクタ構成と使用するように適合されてもよいが、図１のパワーインゼクタ１０に関連して本明細書において説明される。この設定画面２３０は、図１のパワーインゼクタ１０のグラフィカルユーザインターフェース１１上に提示されてもよく、種々のステップを実行するように、または図４の流量評価プロトコル１４０の種々の側面を実装するように構成される。設定画面２３０は、デュアルヘッド型構成である、つまり対のシリンジ２８を利用する（一方のシリンジは、パワーインゼクタ１０の側面Ａを画定し、別のシリンジは、パワーインゼクタ１０の側面Ｂを画定する）図１のパワーインゼクタ１０の場合のものである。Ａ側面およびＢ側面の各々は、任意の適切な流体（例えば、造影剤、放射性医薬品、生理食塩水、およびそれらの任意の組み合わせ）を含有してもよい。加えて、設定画面２３０は、パワーインゼクタ１０の側面Ａにおいて２つの位相を提供し、パワーインゼクタ１０の側面Ｂにおいて単一の位相を提供するように構成される。任意の数の位相が、パワーインゼクタ１０の側面Ａおよび側面Ｂの各々によって利用されてもよく、設定画面２３０は、適宜構成されてもよい。図３のパワーインゼクタ制御論理１２４は、複数の設定画面２３０を格納するように構成されてもよく、その各々は、パワーインゼクタ１０の側面Ａおよび側面Ｂについて異なる位相の組み合わせを使用してもよい。
【００５３】
図５の設定画面２３０は、パワーインゼクタのグラフィカルユーザインターフェース１１上に、種々の他のシステム画面にアクセスするための種々のボタンを含んでもよく、メモリボタン２５４（例えば、格納される注入または流体送達プロトコル１２６にアクセスするための）、注入モードボタン２５６（例えば、注入処置または流体送達プロトコル１２６を始動するための）、および結果ボタン２５８（例えば、注入処置または流体送達プロトコル１２６に関する結果を表示するための）が含まれる。また、設定画面２３０は、流体送達プロトコル１２６に関する種々のパラメータを表示、入力、および／または編集することに対応する。例えば、流量評価プロトコル１４０のステップ１４６および１６４に関連する中断／終了流量条件または流量変動は、区分２７０において表示、入力、および／または編集されてもよい。流量評価プロトコル１４０のステップ１５２および１６２に関連する流量メッセージ／警告生成流量条件または流量変動は、区分２７２において表示、入力、および／または編集されてもよい。
【００５４】
また、図５の設定画面２３０は、１）設定画面２３０上に提示された選択パラメータの値を表示／変更するためのスライドバー２３２、２）設定画面２３０上に提示された選択パラメータの値に関してより精密な調整を提供するための調整矢印２３４、３）パワーインゼクタ１０の側面Ａからの造影剤または他の流体の所望の送達速度を表示、入力、および／または編集することに対応するための、対のプログラム／標的流量区分２３６（２つの位相毎に１つ）、およびパワーインゼクタ１０の側面Ｂからの生理食塩水または他の流体の所望の送達速度を表示、入力、および／または編集することに対応するための、別のプログラム／標的流量区分２３６（例えば、図４の流量評価プロトコル１４０のステップ１４４のためのもの）、４）パワーインゼクタ１０の側面Ａおよび側面Ｂの各々について、シリンジ２８から注入される所望の体積を表示、入力、および／または編集することに対応するための注入体積区分２３８、５）パワーインゼクタ１０の側面Ａおよび側面Ｂの各々のための、シリンジ２８に残る予測体積を示すための残体積インジケータ２６４、６）パワーインゼクタ１０と組み合わせて使用するスキャナを操作者が正確に遅延させるように、注入または流体送達の開始からカウントダウンされる時間を示すための走査遅延インジケータ２４０、７）パワーインゼクタ１０の側面Ａにおけるシリンジ２８のための圧力制限区分２４２、８）関連するシリンジ２８において現在利用可能な体積を標示し、かつ注入または流体送達処置に必要な体積が、関連するシリンジ２８において利用可能な体積を上回る場合に点滅してもよい、パワーインゼクタ１０の側面Ａおよび側面Ｂの各々のための最大体積インジケータ２４４、９）パワーインゼクタ１０のための滴下モード機能にアクセスするための滴下モードボタンまたはキー２４６（例えば、「滴下注入」は、患者への流体経路の開放状態に維持するために、患者に送達する少量の流体（例えば、生理食塩水）の低流量注入である）、１０）パワーインゼクタ１０の側面Ａおよび側面Ｂの各々のための、対のシリンジサイズインジケータ２４８、１１）プロトコル識別子２５０（例えば、パワーインゼクタ１０の動作に使用する注入または流体送達プロトコルを識別するため）、ならびに１２）メッセージ２５２（例えば、操作者のための）も含んでもよい。
【００５５】
キーボード、マウス、および／またはタッチスクリーンディスプレイ上に設定画面２３０を提示することによって等、任意のデータ入力機器を利用して、図５の設定画面２３０上に所望／必要な情報を入力してもよい。設定画面２３０上の種々の入力は、パワーインゼクタ制御論理１２４（図３）の流体送達プロトコル１２６および流量評価プロトコル１４０の両方を構成する。次に、比較出力を提示する（図４の流量評価プロトコル１４０のステップ１６０）ための種々のオプションについて、図６Ａ〜図６Ｄに関連して述べる。
【００５６】
進行画面の種々の実施形態が、図６Ａ〜図６Ｄに図示され、流体送達プロトコル１２６の実行中に、パワーインゼクタのグラフィカルユーザインターフェース１１上に提示され得る画面を示す。これらの進行画面の各々は、デュアルヘッド型構成である、つまり対のシリンジ２８を利用する（一方のシリンジは、パワーインゼクタ１０の側面Ａを画定し、別のシリンジは、パワーインゼクタ１０の側面Ｂを画定する）図１のパワーインゼクタ１０の場合のものである。加えて、種々の進行画面の各々は、パワーインゼクタ１０の側面Ａにおいて２つの位相を提供し、パワーインゼクタ１０の側面Ｂにおいて単一の位相を提供するように構成される。任意の数の位相が、パワーインゼクタ１０の側面Ａおよび側面Ｂの各々によって利用されてもよく、種々の進行画面は、適宜構成されてもよい。
【００５７】
図６Ａ〜図６Ｄの進行画面は、概して、パワーインゼクタ１０が現在実行中である注入処置の進行または流体送達プロトコル１２６の実行を表示する。任意の適切な様式で選択／作動され得る種々のボタンまたはキーが、任意の適切な機能または機能の組み合わせを提供するために、これらの進行画面上に含まれてもよく、停止ボタン３１２（例えば、パワーインゼクタ１０の動作、またはより具体的には、パワーインゼクタ１０からの流体の送達を停止させるため）が含まれる。また、これらの進行画面は、１）パワーインゼクタ１０の側面Ａおよび側面Ｂの各々のための、対応する側面からの流体の送達時を標示するために点滅し得る注入インジケータ３１４、２）パワーインゼクタ１０の側面Ａおよび側面Ｂの各々のための、関連するシリンジ２８に残る体積量を標示する残体積インジケータ３１６、３）パワーインゼクタ１０の側面Ａにおいて流体送達プロトコル１２６が利用する２つの位相の各々のためのプログラム体積インジケータ３２０、およびパワーインゼクタ１０の側面Ｂのためのプログラム体積インジケータ３２０であり、その各々のプログラム体積インジケータ３２０は、パワーインゼクタ１０が現在実行中である流体送達プロトコル１２６のための対応するプログラム体積を表示する、４）流体送達プロトコル１２６の開始から経過した時間を示す経過時間インジケータ３２２、５）パワーインゼクタ１０と組み合わせて使用するスキャナを操作者が正確に遅延させるように、注入の開始からカウントダウンされる時間を示すための走査遅延インジケータ３２４、ならびに６）現在の圧力および事前設定された圧力制限値を示し得る圧力インジケータ３２６（垂直線は、事前設定された圧力制限値を表し、水平線は現在の圧力を表す）も含む。図６Ａ〜図６Ｄの進行画面の各々は、図４の流量評価プロトコル１４０のための、プログラム／標的流量（ステップ１４４）および実際／現在流量（ステップ１５６）に関する異なる比較出力を表示する。次に、これらの進行画面の各々により提供される異なる比較出力について述べる。これらの比較出力の各々は、進行画面上に別々に含まれるが、任意の適切な数の比較出力を任意の進行画面上に含めてもよい。
【００５８】
図６Ａの進行画面３１０は、プログラム／標的流量（図４の流量評価プロトコル１４０のステップ１４４）と実際／現在流量（図４の流量評価プロトコル１４０のステップ１５６）との両方を数値的に表示する。より具体的には、進行画面３１０は、パワーインゼクタ１０の側面Ａにおいて流体送達プロトコル１２６が利用する２つの位相の各々のためのプログラム／標的流量インジケータ３１８、およびパワーインゼクタ１０の側面Ｂのためのプログラム／標的流量インジケータ３１８を含み、その各々のプログラム／標的流量インジケータ３１８は、パワーインゼクタ１０が現在実行中である流体送達プロトコル１２６のための対応するプログラム／標的流量を表示する（例えば、流量評価プロトコル１４０のステップ１６０）。
【００５９】
また、パワーインゼクタ１０の側面Ａにおいて流体送達プロトコル１２６が利用する２つの位相の各々のための、実際／現在流量インジケータ３２８が表示され、パワーインゼクタ１０の側面Ｂのための実際／現在流量インジケータ３２８が表示され、その各々の実際／現在流量インジケータ３２８は、パワーインゼクタ１０が現在実行中である流体送達プロトコル１２６のための対応する実際／現在流量を表示する（例えば、図４の流量評価プロトコル１４０のステップ１６０）。流量条件または流量変動に関する任意の適切なメッセージ３３０は、進行画面３１０上に表示されてもよい（例えば、流量評価プロトコル１４０のステップ１６２に従って）。また、この流量条件メッセージ３３０は、任意の適切な形式であってもよい（例えば、テキスト、グラフィック、テキストおよびグラフィック）。
【００６０】
図６Ｂの進行画面３１０ｉは、パワーインゼクタ１０の側面Ａにおいて流体送達プロトコル１２６が利用する２つの位相の各々ための差分流量インジケータ３３２と、パワーインゼクタ１０の側面Ｂのための別の差分流量インジケータ３３２とを表示する。各差分流量インジケータ３３２は、パワーインゼクタ１０が現在実行中である流体送達プロトコル１２６のための、対応するプログラム／標的流量と対応する実際／現在流量との間の差分を表示する（例えば、流量評価プロトコル１４０のステップ１６０）。正差分流量インジケータ３３２は、記述の数値だけ、対応する実際／現在流量が、対応するプログラム／標的流量を上回ることを標示してもよい（実際／現在流量が、プログラム／標的流量を上回ることが可能である場合、これに当てはまらない（例えば、安全上の理由により））、一方、負差分流量インジケータ３３２は、記述の数値だけ、対応する実際／現在流量が、対応するプログラム／標的流量未満であることを標示してもよく、あるいはその逆も同様である。代表的な流量条件メッセージ３３０ｉも進行画面３１０ｉ上に表示されてもよい（例えば、図４の流量評価プロトコル１４０のステップ１６２に従って）。
【００６１】
図６Ｃの進行画面３１０ｉｉは、パワーインゼクタ１０の側面Ａにおいて流体送達プロトコル１２６が利用する２つの位相の各々ための割合流量インジケータ３３４と、パワーインゼクタ１０の側面Ｂのための別の割合流量インジケータ３３４とを表示する。各割合流量インジケータ３３４は、パワーインゼクタ１０が現在実行中である流体送達プロトコル１２６のために、対応するプログラム／標的流量の割合として、実際／現在流量を表示する（例えば、流量評価プロトコル１４０のステップ１６０）。１００を超える割合流量インジケータ３３４は、対応する実際／現在流量が、記述の数値と１００との間の差分だけ、対応するプログラム／標的流量を上回ることを標示してもよく（実際／現在流量が、プログラム／標的流量を上回ることが可能である場合、これに当てはまらない（例えば、安全上の理由により））、一方、１００未満の割合流量インジケータ３３４は、対応する実際／現在流量が、記述の数値と１００との間の差分だけ、対応するプログラム／標的流量を下回ることを標示してもよい。また、代表的な流量条件メッセージ３３０ｉｉも、進行画面３１０ｉｉ上に表示されてもよい（例えば、図４の流量評価プロトコル１４０のステップ１６２に従って）。
【００６２】
図６Ｄの進行画面３１０ｉｉｉは、プログラム／標的流量と実際／現在流量との両方をグラフで表示する。より具体的には、進行画面３１０ｉｉｉは、パワーインゼクタ１０の側面Ａにおいて流体送達プロトコル１２６が利用する２つの位相の各々ための流量メータ３３６と、パワーインゼクタ１０の側面Ｂのための別の割合流量メータ３３６とを含む。各流量メータ３３６は、プログラム／標的流量３４０と実際／現在流量３４２とともに、複数の段階３３８を含む。プログラム／標的流量インジケータ３４０は、任意の適切な様式で設定されてもよく（例えば、図４の流量評価プロトコル１４０のステップ１４４に従って）、一方、実際／現在流量インジケータ３４２は、流量の変化に応じて流量メータ３３６に沿って移動する。プログラム／標的流量を対応する実際／現在流量とグラフで比較する他の方式を利用してもよい。また、代表的な流量条件メッセージ３３０ｉｉｉも、進行画面３１０ｉｉｉ上も表示されてもよい（例えば、図４の流量評価プロトコル１４０のステップ１６２に従って）。
【００６３】
本発明の前述の説明は、例証および説明の目的のために提示されている。さらに、本説明は、本明細書に開示される形式に本発明を限定するように意図されるものではない。結果として、上述の教示、ならびに当該分野の技術および知識に相当する変形や修正は、本発明の範囲内となる。さらに、上述の実施形態は、本発明を実践する周知の最良の形態を説明し、このような実施形態または他の実施形態において、本発明の特定の用途または使用によって必要とされる種々の修正とともに、当業者に本発明を利用可能にするものとして意図される。添付の請求項は、従来技術によって許容される範囲において、代替実施形態を含むものと解釈されることが意図される。
【図１】
2011502734.tif 000003
【図２Ａ】
2011502734.tif 000004
【図２Ｂ】
2011502734.tif 000005
【図２Ｃ】
2011502734.tif 000006
【図３】
2011502734.tif 000007
【図４】
2011502734.tif 000008
【図５】
2011502734.tif 000009
【図６Ａ】
2011502734.tif 000010
【図６Ｂ】
2011502734.tif 000011
【図６Ｃ】
2011502734.tif 000012
【図６Ｄ】
2011502734.tif 000013
【手続補正書】
【提出日】平成22年5月21日(2010.5.21)
【手続補正１】
【補正対象書類名】明細書
【補正対象項目名】００１５
【補正方法】変更
【補正の内容】
【００１５】
利用し得る任意のパワーインゼクタは、任意の適切なサイズ、形状、構成、および／または種類を有してもよい。任意のこのようなパワーインゼクタは、任意の適切なサイズ、形状、構成、および／または種類の１つ以上のシリンジプランジャ駆動体を利用してもよく、このような各シリンジプランジャ駆動体は、少なくとも双方向移動（例えば、流体の放出のための第１の方向における移動、流体の装填に対応するため、および後続の流体放出動作の位置に戻すような第２の方向における移動）が可能であり、このような各シリンジプランジャ駆動体は、シリンジプランジャを少なくとも１つの方向に進めることが可能であるように（例えば、流体を放出するために）、任意の適切な様式で（例えば、機械的接触によって、適切な連結具（機械的または別の様態）によって）、その対応するシリンジプランジャと相互に作用してもよい。任意のこのようなパワーインゼクタは、任意の適切な医療用途（例えば、コンピュータ断層撮影法またはＣＴ画像法、磁気共鳴映像法またはＭＲＩ、ＳＰＥＣＴ画像法、ＰＥＴ画像法、Ｘ線画像法、血管造影画像法、光学的画像法、超音波画像法）が含まれるがこれらに限定されない１つ以上の流体の送達が所望される任意の適切な用途のために使用されてもよい。任意のこのようなパワーインゼクタは、適切な撮像システム（例えば、ＣＴスキャナ）等の任意の構成要素または構成要素の組み合わせと併用してもよい。例えば、任意のこのようなパワーインゼクタと１つ以上の他の構成要素との間で、情報（例えば、走査遅延情報、注入開始信号、注入速度）を伝達してもよい。任意の適切な数のシリンジは、任意の適切な様式（例えば、着脱式、前部装着、後部装着、側面装着）で、任意のこのようなパワーインゼクタと一体型であってもよく、任意の適切な流体は、任意のこのようなパワーインゼクタの所与のシリンジから放出されてもよく（造影剤、放射性医薬品、生理食塩水、およびそれらの任意の組み合わせ）、任意の適切な流体は、任意の適切な様式（例えば、順次的、同時）またはそれらの任意の組み合わせで、複数のシリンジパワーインゼクタ構成から放出されてもよい。一実施形態では、パワーインゼクタの動作によるシリンジから放出された流体は、導管に指向され、ここで、この導管は、任意の適切な様式でシリンジと流体的に相互連結され、流体を所望の位置（例えば、患者）に指向する。
例えば、本発明は以下を提供する。
（項目１）
医療流体送達システムのための動作の方法であって、
該医療流体送達システムから医療流体を放出するステップと、
第１の出力を表示するステップであって、該第１の出力は該放出するステップの現在流量と標的流量との間の関係を含む、ステップと
を含む、方法。
（項目２）
前記放出するステップは、パワーインゼクタから前記医療流体を放出するステップを含む、項目１に記載の方法。
（項目３）
前記放出するステップは、前記医療流体を流体標的物に注入するステップを含む、項目１〜２のいずれか一項に記載の方法
(項目４）
前記流体標的物には、患者が含まれる、項目１〜３のいずれか一項に記載の方法。
(項目５）
前記放出するステップは、前記標的流量を提供するために実行される、項目１〜４のいずれか一項に記載の方法。
(項目６）
前記表示するステップは、少なくとも１つのグラフィカルユーザインターフェース上に前記第１の出力を表示するステップを含む、項目１〜５のいずれか一項に記載の方法。
(項目７）
前記表示するステップは、前記現在流量が、所定量を上回って前記標的流量と異なる場合にのみ実行される、項目１〜６のいずれか一項に記載の方法。
(項目８）
前記表示するステップは、前記放出するステップの間中、継続的に実行される、項目１〜６のいずれか一項に記載の方法。
(項目９）
前記表示するステップは、前記現在流量の大きさおよび前記標的流量の大きさを同時に表示するステップを含む、項目１〜８のいずれか一項に記載の方法。
(項目１０）
前記第１の出力は、前記現在流量の前記大きさおよび前記標的流量の前記大きさを含む、項目９に記載の方法。
(項目１１）
前記同時に表示するステップは、前記現在流量の前記大きさおよび前記標的流量の前記大きさの各々について、数値を表示するステップを含む、項目９〜１０のいずれか一項に記載の方法。
(項目１２）
前記同時に表示するステップは、前記現在流量の前記大きさおよび前記標的流量の前記大きさの各々について、グラフ表示を提示するステップを含む、項目９〜１０のいずれか一項に記載の方法。
(項目１３）
前記表示するステップは、前記標的流量の割合として前記現在流量を表現するステップを含む、項目１〜８のいずれか一項に記載の方法。
(項目１４）
前記表示するステップは、前記現在流量と前記標的流量との間の差分を表示するステップを含む、項目１〜８のいずれか一項に記載の方法。
(項目１５）
前記表示するステップは、前記現在流量と前記標的流量との間の対比を提示するステップを含む、項目１〜１４のいずれか一項に記載の方法。
(項目１６）
前記表示するステップは、前記現在流量が前記標的流量とどのように異なるかに関する情報を伝達するステップを含む、項目１〜１５のいずれか一項に記載の方法。
(項目１７）
前記放出するステップが、前記標的流量に適合しないことを伝達するメッセージを発行するステップをさらに含む、項目１〜１６のいずれか一項に記載の方法。
(項目１８）
前記現在流量が、所定の様式で前記標的流量と異なる場合に、前記放出するステップを変更するステップをさらに含む、項目１〜１７のいずれか一項に記載の方法。
(項目１９）
前記所定の様式を入力するステップをさらに含む、項目１８に記載の方法。
(項目２０）
前記放出するステップは、パワーインゼクタを使用し、前記方法は、前記所定の様式の操作者入力を可能にするステップをさらに含む、項目１８に記載の方法。
(項目２１）
少なくとも１つのグラフィカルユーザインターフェース上において前記所定の様式の入力を促すステップを含む第１の促すステップを実行するステップをさらに含む、項目１８〜２０のいずれか一項に記載の方法。
(項目２２）
少なくとも１つのグラフィカルユーザインターフェース上において前記標的流量の入力を促すステップを含む第２の促すステップを実行するステップをさらに含む、項目２１に記載の方法。
(項目２３）
前記現在流量が前記標的流量の所定の割合より小さい場合に、前記放出するステップを終了するステップをさらに含む、項目１〜２２のいずれか一項に記載の方法。
(項目２４）
前記現在流量が、所定の値だけ前記標的流量より小さい場合に、前記放出するステップを終了するステップをさらに含む、項目１〜２２のいずれか一項に記載の方法。
(項目２５）
パワーヘッドと、
シリンジプランジャ駆動体と、
グラフィカルユーザインターフェースと、
ａ）医療流体送達プロトコルを実行することと、ｂ）該グラフィカルユーザインターフェース上に第１の出力を提示することとを実行するように構成される制御論理であって、該第１の出力は、該医療流体送達プロトコルに関連する標的流量と、該医療流体送達プロトコルの実行中に存在する現在流量との間の関係を含む、制御論理と
を備える、パワーインゼクタ。
(項目２６）
前記第１の出力は、前記現在流量が、所定量を上回って前記標的流量と異なる場合にのみ、前記グラフィカルユーザインターフェース上に提示される、項目２５に記載のパワーインゼクタ。
(項目２７）
前記第１の出力は、前記医療流体送達プロトコルの実行の間中、前記グラフィカルユーザインターフェース上に提示される、項目２５に記載のパワーインゼクタ。
(項目２８）
前記第１の出力は、前記現在流量の大きさおよび前記標的流量の大きさを含む、項目２５〜２７のいずれか一項に記載のパワーインゼクタ。
(項目２９）
前記第１の出力は、前記現在流量の前記大きさおよび前記標的流量の前記大きさの各々について、数値をさらに含む、項目２８に記載のパワーインゼクタ。
(項目３０）
前記第１の出力は、前記現在流量の前記大きさおよび前記標的流量の前記大きさの各々について、グラフ表示をさらに含む、項目２８に記載のパワーインゼクタ。
(項目３１）
前記第１の出力は、前記標的流量の割合として前記現在流量の表現を含む、項目２５〜３０のいずれか一項に記載のパワーインゼクタ。
(項目３２）
前記第１の出力は、前記現在流量と前記標的流量との間の差分を含む、項目２５〜３０のいずれか一項に記載のパワーインゼクタ。
(項目３３）
前記第１の出力は、前記現在流量と前記標的流量との間の対比を含む、項目２５〜３２のいずれか一項に記載のパワーインゼクタ。
(項目３４）
前記第１の出力は、前記現在流量が前記標的流量とどのように異なるかに関する情報を含む、項目２５〜３３のいずれか一項に記載のパワーインゼクタ。
(項目３５）
前記現在流量が前記標的流量に適合しないことを伝達するメッセージをさらに含む、項目２５〜３４のいずれか一項に記載のパワーインゼクタ。
(項目３６）
前記制御論理と動作可能に相互連結されるデータ入力機器をさらに備える、項目２５〜３５のいずれか一項に記載のパワーインゼクタ。
(項目３７）
前記制御論理は、前記データ入力機器によって入力され得る終了条件を格納するように構成され、該制御論理は、該終了条件の任意の発生時に、前記医療流体送達プロトコルを終了する、項目３６に記載のパワーインゼクタ。
(項目３８）
前記第１のグラフィカルユーザインターフェース上において、前記終了条件を入力するためのプロンプトをさらに含む、項目３７に記載のパワーインゼクタ。
(項目３９）
前記第１のグラフィカルユーザインターフェース上において、前記標的流量を入力するためのプロンプトをさらに含む、項目３６〜３８のいずれか一項に記載のパワーインゼクタ。
(項目４０）
前記制御論理は、前記現在流量が前記標的流量の所定の割合より小さい場合に、前記医療流体送達プロトコルを終了するように構成される、項目２５〜３９のいずれか一項に記載のパワーインゼクタ。
(項目４１）
前記制御論理は、前記現在流量が流量値だけ前記標的流量より小さい場合に、前記医療流体送達プロトコルを終了するように構成される、項目２５〜３９のいずれか一項に記載のパワーインゼクタ。
【手続補正２】
【補正対象書類名】特許請求の範囲
【補正対象項目名】全文
【補正方法】変更
【補正の内容】
【特許請求の範囲】
【請求項１】
医療流体送達システムのための動作の方法であって、
該医療流体送達システムから医療流体を放出するステップと、
第１の出力を表示するステップであって、該第１の出力は該放出するステップの現在流量と標的流量との間の数値比較を含む、ステップと
を含む、方法。
【請求項２】
前記放出するステップは、パワーインゼクタから前記医療流体を放出するステップを含む、請求項１に記載の方法。
【請求項３】
前記放出するステップは、前記医療流体を流体標的物に注入するステップを含む、請求項１〜２のいずれか一項に記載の方法
【請求項４】
前記流体標的物には、患者が含まれる、請求項１〜３のいずれか一項に記載の方法。
【請求項５】
前記放出するステップは、前記標的流量を提供するために実行される、請求項１〜４のいずれか一項に記載の方法。
【請求項６】
前記表示するステップは、少なくとも１つのグラフィカルユーザインターフェース上に前記第１の出力を表示するステップを含む、請求項１〜５のいずれか一項に記載の方法。
【請求項７】
前記表示するステップは、前記現在流量が、所定量を上回って前記標的流量と異なる場合にのみ実行される、請求項１〜６のいずれか一項に記載の方法。
【請求項８】
前記表示するステップは、前記放出するステップの間中、継続的に実行される、請求項１〜６のいずれか一項に記載の方法。
【請求項９】
前記表示するステップは、前記現在流量の大きさおよび前記標的流量の大きさを同時に表示するステップを含む、請求項１〜８のいずれか一項に記載の方法。
【請求項１０】
前記第１の出力は、前記現在流量の前記大きさおよび前記標的流量の前記大きさを含む、請求項９に記載の方法。
【請求項１１】
前記同時に表示するステップは、前記現在流量の前記大きさおよび前記標的流量の前記大きさの各々について、数値を表示するステップを含む、請求項９〜１０のいずれか一項に記載の方法。
【請求項１２】
前記表示するステップは、前記標的流量の割合として前記現在流量を表現するステップを含む、請求項１〜８のいずれか一項に記載の方法。
【請求項１３】
前記表示するステップは、前記現在流量と前記標的流量との間の差分を表示するステップを含む、請求項１〜８のいずれか一項に記載の方法。
【請求項１４】
前記表示するステップは、前記現在流量が前記標的流量とどのように異なるかに関する情報を伝達するステップを含む、請求項１〜１３のいずれか一項に記載の方法。
【請求項１５】
前記放出するステップが、前記標的流量に適合しないことを伝達するメッセージを発行するステップをさらに含む、請求項１〜１４のいずれか一項に記載の方法。
【請求項１６】
前記現在流量が、所定の様式で前記標的流量と異なる場合に、前記放出するステップを変更するステップをさらに含む、請求項１〜１５のいずれか一項に記載の方法。
【請求項１７】
前記所定の様式を入力するステップをさらに含む、請求項１６に記載の方法。
【請求項１８】
前記放出するステップは、パワーインゼクタを使用し、前記方法は、前記所定の様式の操作者入力を可能にするステップをさらに含む、請求項１６に記載の方法。
【請求項１９】
少なくとも１つのグラフィカルユーザインターフェース上において前記所定の様式の入力を促すステップを含む第１の促すステップを実行するステップをさらに含む、請求項１６〜１８のいずれか一項に記載の方法。
【請求項２０】
少なくとも１つのグラフィカルユーザインターフェース上において前記標的流量の入力を促すステップを含む第２の促すステップを実行するステップをさらに含む、請求項１９に記載の方法。
【請求項２１】
前記現在流量が前記標的流量の所定の割合より小さい場合に、前記放出するステップを終了するステップをさらに含む、請求項１〜２０のいずれか一項に記載の方法。
【請求項２２】
前記現在流量が、所定の値だけ前記標的流量より小さい場合に、前記放出するステップを終了するステップをさらに含む、請求項１〜２０のいずれか一項に記載の方法。
【請求項２３】
パワーヘッドと、
シリンジプランジャ駆動体と、
グラフィカルユーザインターフェースと、
ａ）医療流体送達プロトコルを実行することと、ｂ）該グラフィカルユーザインターフェース上に第１の出力を表示することとを実行するように構成される制御論理であって、該第１の出力は、該医療流体送達プロトコルに関連する標的流量と、該医療流体送達プロトコルの実行中に存在する現在流量との間の数値比較を含む、制御論理と
を備える、パワーインゼクタ。
【請求項２４】
前記第１の出力は、前記現在流量が、所定量を上回って前記標的流量と異なる場合にのみ、前記グラフィカルユーザインターフェース上に提示される、請求項２３に記載のパワーインゼクタ。
【請求項２５】
前記第１の出力は、前記医療流体送達プロトコルの実行の間中、前記グラフィカルユーザインターフェース上に提示される、請求項２３に記載のパワーインゼクタ。
【請求項２６】
前記第１の出力は、前記現在流量の大きさおよび前記標的流量の大きさを含む、請求項２３〜２５のいずれか一項に記載のパワーインゼクタ。
【請求項２７】
前記第１の出力は、前記現在流量の前記大きさおよび前記標的流量の前記大きさの各々について、数値をさらに含む、請求項２６に記載のパワーインゼクタ。
【請求項２８】
前記第１の出力は、前記標的流量の割合として前記現在流量の表現を含む、請求項２３〜２７のいずれか一項に記載のパワーインゼクタ。
【請求項２９】
前記第１の出力は、前記現在流量と前記標的流量との間の差分を含む、請求項２３〜２７のいずれか一項に記載のパワーインゼクタ。
【請求項３０】
前記第１の出力は、前記現在流量が前記標的流量とどのように異なるかに関する情報を含む、請求項２３〜２９のいずれか一項に記載のパワーインゼクタ。
【請求項３１】
前記現在流量が前記標的流量に適合しないことを伝達するメッセージをさらに含む、請求項２３〜３０のいずれか一項に記載のパワーインゼクタ。
【請求項３２】
前記制御論理と動作可能に相互連結されるデータ入力機器をさらに備える、請求項２３〜３１のいずれか一項に記載のパワーインゼクタ。
【請求項３３】
前記制御論理は、前記データ入力機器によって入力され得る終了条件を格納するように構成され、該制御論理は、該終了条件の任意の発生時に、前記医療流体送達プロトコルを終了する、請求項３２に記載のパワーインゼクタ。
【請求項３４】
前記第１のグラフィカルユーザインターフェース上において、前記終了条件を入力するためのプロンプトをさらに含む、請求項３３に記載のパワーインゼクタ。
【請求項３５】
前記第１のグラフィカルユーザインターフェース上において、前記標的流量を入力するためのプロンプトをさらに含む、請求項３２〜３４のいずれか一項に記載のパワーインゼクタ。
【請求項３６】
前記制御論理は、前記現在流量が前記標的流量の所定の割合より小さい場合に、前記医療流体送達プロトコルを終了するように構成される、請求項２３〜３５のいずれか一項に記載のパワーインゼクタ。
【請求項３７】
前記制御論理は、前記現在流量が所定の値だけ前記標的流量より小さい場合に、前記医療流体送達プロトコルを終了するように構成される、請求項２３〜３５のいずれか一項に記載のパワーインゼクタ。
【国際調査報告】
2011502734.tif 000014
2011502734.tif 000015
2011502734.tif 000016
2011502734.tif 000017